(57)【要約】【課題】  照明器具の天井への取付け時、ランプが収納される反射鏡の向きを変えることなく、取付け位置周囲の障害物を避けることができる、天井埋込型照明器具を提案する。【解決手段】  ランプを収納してランプの光を光出口１ａから射出するランプケース１とランプケース１の光出口１ａの周囲に設けられた天井の開口周囲と係合する天井取付部材２，３とを有した本体部と、ランプケース１の中心軸方向と略直交する方向に本体部から延設された天板５とを備え、天板５にランプの電流制御を行う安定器６を取付け、かつ天板５をランプケース１の中心軸方向と略直交する平面に対して略平行に回動自在とした。【選択図】  図３
2005346953.tif 000002
【特許請求の範囲】
【請求項１】
ランプを収納して前記ランプの光を光出口から射出する内側が反射面に形成されたランプケースと前記ケースの光出口周囲に設けられた天井の開口周囲と係合する天井取付部材とを有した本体部と、
前記ランプケースの中心軸方向と略直交する方向に前記本体部から延設された天板とを備え、
前記天板に前記ランプの電流制御を行う安定器を取付け、かつ前記天板を前記ランプケースの中心軸方向と略直交する平面に対して略平行に回動自在としたことを特徴とする、天井埋込型照明器具。
【請求項２】
前記天板の回動範囲を少なくとも１８０度とし、その範囲内で予め定めた角度毎に該天板を固定可能としたことを特徴とする、請求項１記載の天井埋込型照明器具。
【請求項３】
前記天板は前記ランプケースに固定された固定板と枢軸ピンを介して摺動可能に取付けられ、前記天板が予め定めた角度毎に前記固定板に係止可能に構成されていることを特徴とする、請求項２記載の天井埋込型照明器具。
【請求項４】
前記天板と前記固定板とが、孔又は凹部とそれらに嵌る凸部とにより係止されることを特徴とする、請求項３記載の天井埋込型照明器具。
【発明の詳細な説明】
【技術分野】
【０００１】
本発明は照明器具、特に天井埋込型照明器具に関する。
【背景技術】
【０００２】
天井埋込型照明器具は、天井裏の空間を利用して取付け固定される。この空間の高さ方向を確保するため、照明用ランプの電流制御を行う安定器等が、ランプが収納されるランプケースの中心軸方向と略直交する方向（ランプケースの側方）に突出して取付けられている天井埋込型照明器具がある（例えば、特許文献１）。
【特許文献１】特開平９−１１５３２８号公報
【発明の開示】
【発明が解決しようとする課題】
【０００３】
上記のような従来の天井埋込型照明器具は、天井裏の空間に建築構造物等の障害物がある場合には、その障害物に安定器等が取付けられた突出部が当たらないように、照明器具を回転させて取付けることが必要となる。しかしながら、照明器具に取付けられるランプが方向性を有する形状であると、ランプの方向が不揃いになり、配光や見栄えの点で、問題となることがあった。
【０００４】
本発明は上記課題に鑑みてなされたもので、ランプが収納されるランプケースの中心軸方向と略直交する方向に安定器等の電装品が取付けられた突出部を有する天井埋込型照明器具の、取付け性の改善を目的とする。すなわち、天井への照明器具の取付け時、ランプが収納されるランプケースの向きを変えることなく、取付け位置周囲の障害物を避けることができる、天井埋込型照明器具を提案するものである。
【課題を解決するための手段】
【０００５】
本発明の天井埋込型照明器具は、ランプを収納して前記ランプの光を光出口から射出するランプケースと前記ランプケースの光出口周囲に設けられた天井の開口周囲と係合する天井取付部材とを有した本体部と、前記ランプケースの中心軸方向と略直交する方向に前記本体部から延設された天板とを備え、前記天板に前記ランプの電流制御を行う安定器を取付け、かつ前記天板を前記ランプケースの中心軸方向と略直交する平面に対して略平行に回動自在としたものである。
【発明の効果】
【０００６】
本発明の天井埋込型照明器具によれば、天板の回動により天井裏周囲の障害物を回避できることになったため、ランプの取付け方向を変えることなく、照明器具を天井に取付けることが可能となった。
【発明を実施するための最良の形態】
【０００７】
以下、図面を参照しながら本発明の実施形態を説明する。図１は本発明の実施形態に係る天井埋込型照明器具の斜視図、図２は図１の照明器具に用いられるランプの斜視図、図３は図１の照明器具における天板の回動動作を説明する平面図である。
【０００８】
この照明器具は、ランプを収納してランプの光を光出口１ａから射出するランプケース１と、ランプケース１の光出口１ａ周囲に設けられた天井の開口周囲と係合する天井取付部材とを備えた本体部を有する。ランプケース１は内側が光反射面として構成された筒状体であり、その外形は光出口１ａを形成している平面と直交するランプケース１の中心軸に対して基本的に対称となっている。なお、ランプケース１は筒状に限らず、回転楕円状、半球状等他の形状であってもよい。また、天井取付部材は、ランプケース１の光出口１ａの先端周囲を構成する環状の枠２と、この枠２から延びる複数本（少なくとも２本）の取付バネ３とを備える。取付バネ３は、照明器具を天井へ取付ける際に、天井の取付開口縁部と係合しその弾性力を利用して照明器具を天井に固定する作用を果たすものである。
本発明の照明器具は、図２に示すようなランプ１０を、水平方向に方向性を有して配置する場合に効果が発揮される。なお、符号１１は、ランプ１０を図示していないソケットに差し込むための口金ピンである。
【０００９】
照明器具の本体部からは、天板５がランプケース１の中心軸方向と略直交する方向に延ばされ、さらに天板５は、ランプケース１の中心軸方向と略直交する平面に対して略平行に回動自在とされている。そして、その天板５にランプの電流制御を行う安定器６や、電源端子台７が搭載されている。また、天板５の終端部には天井の裏面に当接して天板５を支える支持バネ８が設けられている。天板５の本体部からの延設方法は特定の方法に限定されるものではないが、例えば図３に示すように、ランプケース１の上面に固定した固定板４に、枢軸ピン９を介して取付け、枢軸ピン９を中心に固定板４上を摺動さるように延設することができる。なお、天板５の回動範囲は、天井裏周囲の障害物の回避範囲を広げるために、少なくとも１８０度とするのが好ましい。
【００１０】
図４〜図８は図１及び図３に示した照明器具における天板の回動状態の例示図である。ここでは、ランプケース１の上面にネジやリベット等で固定板４が固定されて、ランプケース１の外周面より外側に突出している。そして天板５は、その固定板４とランプケース１の外周面より外側に突出した部分において枢軸ピン９を介して取付けられ、枢軸ピン９を中心に固定板４上を摺動しながら、ランプケース１の中心軸方向と略直交する平面に対して略平行に回動可能に配置されている。なお、固定板４には凸部４ａが設けられており、天板５の枢軸ピン９の周囲には、天板５の１８０度の回動角度範囲を６等分した３０度毎の角度を位置決めして、天板５をそこに固定をするための凸部４ａに嵌る孔が形成されている。
【００１１】
図４は、固定板４に対して天板５を右に９０度回転させて、天板５を障害物２０から回避した状態を示している。なお、ここでは、固定板４に設けられた凸部４ａに、天板５に形成された孔５ａを嵌合させて、この状態の位置決めがなされている。
【００１２】
図５は、固定板４に対して天板５を右に３０度回転させて、天板５を障害物２０から回避した状態を示している。なお、ここでは、固定板４に設けられた凸部４ａに、天板５に形成された孔５ｃを嵌合させて、この状態の位置決めがなされている。
【００１３】
図６は、固定板４に対して天板５を平行に位置させて、天板５を障害物２０，２１から回避した状態を示している。なお、ここでは、固定板４に設けられた凸部４ａに、天板５に形成された孔５ｄを嵌合させて、この状態の位置決めがなされている。
【００１４】
図７は、固定板４に対して天板５を左に３０度回転させて、天板５を障害物２０から回避した状態を示している。なお、ここでは、固定板４に設けられた凸部４ａに、天板５に形成された孔５ｅを嵌合させて、この状態の位置決めがなされている。
【００１５】
図８は、固定板４に対して天板５を右に９０度回転させて、天板５を障害物２０から回避した状態を示している。なお、ここでは、固定板４に設けられた凸部４ａに、天板５に形成された孔５ｇを嵌合させて、この状態の位置決めがなされている。
【００１６】
上記実施形態で示した天井埋込型照明器具によれば、これを天井に取付ける際、天井裏の照明器具取付け位置の近くに建築構造物等の障害物がある場合には、ランプケース１の方向はそのままにして、天板５を障害物を回避させる方向に回動して固定できることになった。そのため、ランプの取付け方向を、同じ天井に配置された他の照明器具と同じ方向に揃えるのが容易に可能となり、従来問題となっていた配光や見栄えの問題が解消される。
【００１７】
ところで、上記実施形態において、天板５を固定板４を介してランプケース１の上面に取付けたが、天板５は、直接、ランプケース１の上面に取付けても良い。なお、天板５はランプケース１の上面に代えて、ランプケース１の側面から、ランプケース１の中心軸方向と略直交する方向に延設させても良い。
また、上記実施形態において、回動する天板５の固定を、固定板４に設けた凸部４ａと、天板５に形成した孔（５ａ等）との嵌合を利用して行っているが、固定板４に孔を形成し、天板５に凸部を設ける構成としてもよい。なお、凸部４ａとの嵌合は孔に限らず凹部としても良い。
【図面の簡単な説明】
【００１８】
【図１】本発明の実施形態に係る天井埋込型照明器具の斜視図である。
【図２】図１の照明器具に用いられるランプの斜視図である。
【図３】図１の照明器具における天板の回動動作を説明する平面図である。
【図４】図１の照明器具における天板の回動状態の例示図である。
【図５】図１の照明器具における天板の回動状態の例示図である。
【図６】図１の照明器具における天板の回動状態の例示図である。
【図７】図１の照明器具における天板の回動状態の例示図である。
【図８】図１の照明器具における天板の回動状態の例示図である。
【符号の説明】
【００１９】
１  ランプケース、１ａ  ランプケースの光出口、２  枠、３  取付バネ、４  固定板、４ａ  固定板の凸部、５  天板、５ａ，５ｃ，５ｄ，５ｅ，５ｇ  天板の位置決め孔、６  安定器、７  電源端子台、８  支持バネ、９  枢軸ピン、１０  ランプ、１１  ランプの口金ピン。
【図１】
2005346953.tif 000003
【図２】
2005346953.tif 000004
【図３】
2005346953.tif 000005
【図４】
2005346953.tif 000006
【図５】
2005346953.tif 000007
【図６】
2005346953.tif 000008
【図７】
2005346953.tif 000009
【図８】
2005346953.tif 000010